(57)【要約】【課題】  簡易な構成により蓋体が不所望に閉じることを防止できる収納装置を提供する。【解決手段】  収納装置１は、上方に開口５を有する装置本体２と、少なくとも前方側および両側方側にそれぞれ側壁１６，１８，１８を有し、装置本体２の開口５を覆うように後方側を回転軸として開閉可能に設けられた蓋体３と、蓋体３が上方に開放された状態で、上端２３ａが蓋体３の内面１５ｂ側に下端２３ｂが装置本体２の底面６側にそれぞれ当接して蓋体３の開放状態を保持する支柱２３と、支柱２３に固定され支柱２３から装置本体２の外方側に延在するとともに蓋体３の側壁１８，１８および装置本体２の側面９ａに対向するように設けられた規制部材２４，２５とを有する支持体４とを具備している。【選択図】図５
2012171678.tif 000002
【特許請求の範囲】
【請求項１】
上方に開口を有する装置本体と；
少なくとも前方側および両側方側にそれぞれ側壁を有し、前記装置本体の開口を覆うように後方側を回転軸として開閉可能に設けられた蓋体と；
この蓋体が上方に開放された状態で、上端が前記蓋体の内面側に下端が前記装置本体の底面側にそれぞれ当接して前記蓋体の開放状態を保持する支柱と、この支柱に固定され前記支柱から前記装置本体の外方側に延在するとともに前記蓋体の側壁および前記装置本体の側面に対向するように設けられた規制部材とを有する支持体と；
を具備していることを特徴とする収納装置。
【請求項２】
前記支持体の規制部材は、前記支柱に装着された状態で前記支柱の長手方向に沿って移動可能であることを特徴とする請求項１記載の収納装置。
【請求項３】
前記装置本体は、その底面側に固定部材を有し、この固定部材に前記支柱の上端側および下端側をそれぞれ取り付けて前記支持体を収納していることを特徴とする請求項１または２記載の収納装置。
【請求項４】
前記蓋体は、その上面側に負荷を制御するための手動操作部が配設され、前記装置本体は、その内部に前記負荷制御用の電気装置が配設されていることを特徴とする請求項１ないし３いずれか一記載の収納装置。
【発明の詳細な説明】
【技術分野】
【０００１】
本発明の実施形態は、開閉される蓋体を備えた収納装置に関する。
【背景技術】
【０００２】
例えば舞台やスタジオの照明を制御する照明制御システムは、複数個の照明負荷を制御する複数個の調光器と、この調光器に対して照明負荷の制御を指示する制御信号を出力する調光操作卓（収納装置）とを備えている。この調光操作卓は、概して装置本体（筐体）および蓋体を有して形成され、ヒンジ機構により蓋体を開閉可能にしている。蓋体には、使用者によって操作されるスイッチやフェーダ等を備える操作部が配設され、装置本体内には、操作部の操作に応じた制御信号を生成して調光器に出力する制御装置などが配設されている。
【０００３】
調光操作卓は、装置本体内の制御装置等に対する点検、調整や交換などのメンテナンス作業時に、蓋体が上方に開放され、この開放された状態でメンテナンス作業が行われる。この蓋体の開放を維持する手段として、通常、ステーが用いられている（例えば特許文献１参照。）。このステーは、蓋体の開放状態を保持する機能を有しており、ロックピンが手動で収納孔に差し込まれるロック機構を有するものである。
【先行技術文献】
【特許文献】
【０００４】
【特許文献１】特開２００１−４８２０８号公報（第２頁、第２図）
【発明の概要】
【発明が解決しようとする課題】
【０００５】
ステーは、そのロック構造の高機能化などにより、その分、コストアップとなっている。しかし、蓋体を開放して行われるメンテナンス作業は、頻繁に行われるものではないので、コストアップを避けた簡易的なステーが望まれている。また、ステーは、装置本体の両側に設けられるので、相応の取付スペースを要し、収納装置の小型化が阻害される要因となっている。
【０００６】
本発明の実施形態は、蓋体が不所望に閉じることを簡易な構成により防止できる収納装置を提供することを目的とする。
【課題を解決するための手段】
【０００７】
本実施形態の収納装置は、装置本体、蓋体および支持体を有して構成される。
【０００８】
装置本体は、上方に開口を有するように形成される。
【０００９】
蓋体は、少なくとも前方側および両側方側にそれぞれ側壁を有するように形成され、装置本体の開口を覆うように後方側を回転軸として開閉可能に設けられる。
【００１０】
支持体は、支柱と規制部材とを有して形成される。支柱は、蓋体が上方に開放された状態で、上端が蓋体の内面側に下端が装置本体の底面側にそれぞれ当接して蓋体の開放状態を保持する。また、規制部材は、支柱に固定され支柱から装置本体の外方側に延在するように形成されて、蓋体の側壁および装置本体の側面に対向するように設けられる。
【発明の効果】
【００１１】
本発明の実施形態によれば、収納装置は、蓋体の内面側および装置本体の底面側にそれぞれ当接して蓋体の開放状態を保持する支柱と、この支柱に固定されて蓋体の側壁および装置本体の側面に対向する規制部材とを有する支持体を具備するので、支持体に人や物がぶつかったときに規制部材が蓋体の側壁または装置本体の側面に当たって支柱の移動を規制することにより、支柱が蓋体の内面側および装置本体の底面側から外れなく、蓋体が不所望に閉じることが防止できる。
【図面の簡単な説明】
【００１２】
【図１】本発明の実施形態を示す収納装置の概略正面図である。
【図２】同じく、収納装置の概略側面図である。
【図３】同じく、支持体の概略正面図である。
【図４】同じく、規制部材の取付状態を示す支持体の一部概略正面図である。
【図５】同じく、支持体により蓋体が開放された状態を示す収納装置の概略斜視図である。
【図６】同じく、一方の支持体側における収納装置の概略正面図である。
【発明を実施するための形態】
【００１３】
以下、本発明の一実施の形態について、図面を参照して説明する。
【００１４】
本実施形態の収納装置１は、図１ないし図６に示すように構成されている。なお、各図において、同一部分には同一符号を付して重複した説明は省略する。
【００１５】
図５において、収納装置１は、照明負荷を調光点灯させるための調光操作卓であり、装置本体２、蓋体３および支持体４を有して構成されている。
【００１６】
装置本体２は、例えば鉄板により大型に形成されているとともに、上方に開口５を有する長方形の略箱形に形成されている。すなわち、装置本体２は、長方形の底面６を有し、この底面６の四方側端に正面側側壁７、背面側側壁８、側面側側壁９，９がそれぞれ底面６に起立するように設けられている。正面側側壁７は、その上端７ａが前方側にやや傾斜するように設けられ、背面側側壁８および側面側側壁９，９は、底面６に対してほぼ直交するように設けられている。そして、背面側側壁８は、正面側側壁７よりも起立長が大きくなるように形成され、側面側側壁９，９は、正面側側壁７から背面側側壁８に向かって直線上に傾斜している。
【００１７】
装置本体２の底面６には、電気装置としての電源装置１０および照明負荷を制御する制御装置１１等や配線などが設けられている。また、底面６には、２組が並設された一対の固定部材１２，１２が直線上に設けられている。一対の固定部材１２，１２は、支持体４を取り付けるものである。そして、図２に示すように、装置本体２の下面１３には、４隅側を含む複数箇所に支持脚１４が設けられている。
【００１８】
蓋体３は、装置本体２の開口６を覆うように設けられたものであり、例えば鉄板により、平面状の平板部１５、この平板部１５の前方側、後方側および両側方側にそれぞれ側壁１６，１７，１８，１８が形成されている。前方側の側壁１６は、前方側に先端が突出するような断面半円形状をなすように丸み１６ａを有して形成されている。
【００１９】
図５に示すように、側壁１６，１７，１８，１８は、平板部１５の下面１５ｂから幾分垂下し、装置本体２の正面側側壁７、背面側側壁８、側面側側壁９，９がそれぞれ内側となるようにかつそれらよりも幾分幅広に形成されている。そして、後端側の側壁１７は、複数個のヒンジ１９により、装置本体２の背面側側壁８と連結されている。こうして、蓋体２は、装置本体２に対してヒンジ１９を回転軸として回転可能に設けられており、閉じられたときにその平面部１５が装置本体２の開口５を覆うように形成されている。蓋体３が装置本体２の開口５を覆っているとき、装置本体２の正面側側壁７および側面側側壁９，９は、蓋体３の平板部１５の下面１５ｂに当接し、蓋体３を支持している。
【００２０】
そして、図１に示すように、平板部１５の上面１５ａ側には、手動操作される多数のフェーダ２０やスイッチ２１等からなる操作部２２が配設されている。この操作部２２は、図５に示すように、配線により装置本体２の底面６側に配設されている制御装置１１等に接続されている。当該制御装置１１は、操作部２２の操作に応じて負荷を制御するものである。
【００２１】
支持体４は、図３に示すように、長い直線状の支柱２３と、Ｌ形に形成された一対の規制部材２４，２５と、この規制部材２４，２５をそれぞれ支柱２３に取り付ける接続体２６，２６を有して形成されている。
【００２２】
支柱２３は、金属例えばステンレス（ＳＵＳ）からなり、円筒に形成されている。そして、上端２３ａ側および下端２３ｂ側には、それぞれゴムキャップ２７，２７が被着されている。支柱２３は、その上端２３ａおよび下端２３ｂ間において、蓋体３の重量に十分に耐える強度を有している。
【００２３】
支持体４は、蓋体３が装置本体２に対して開放された状態を維持するように、装置本体２の底面６側および蓋体３の平板部１５の下面１５ｂ側に設けられる。すなわち、蓋体３が装置本体２に対して上方に開放された状態で、支柱２３の上端２３ａがゴムキャップ２７を介して蓋体３の平板部１５の内面１５ｂ側に当接し、その下端２３ｂがゴムキャップ２７を介して装置本体２の底面６側に当接するように、装置本体２および蓋体３の間に設けられ、蓋体３の開放状態を保持する。ゴムキャップ２７，２７は、金属製の支柱２３により、蓋体３の内面１５ｂ側および装置本体２の底面６側が傷付かないようにするものである。
【００２４】
規制部材２４，２５は、所定の肉厚および幅を有する金属板例えば鉄板からなり、それぞれ１枚の平板を略直角に折曲して、水平部２４ａ，２５ａおよび鉛直部２４ｂ，２５ｂに形成している。当該肉厚は、例えば０．８〜２．０ｍｍに設定され、当該幅は、例えば５０〜１５０ｍｍに設定される。水平部２４ａ，２５ａは、それぞれ接続体２６，２６により支柱２３に固定されている。垂直部２４ｂ，２５ｂは、支柱２３から外方側に延在するように水平部２４ａ，２５ａに設けられている。そして、図６に示すように、支柱２３が装置本体２および蓋体３の間に設けられたときに、鉛直部２４ｂは、蓋体３の外側において、その側壁１８に対向するように支柱２３から蓋体３（装置本体２）の外方側に延在する大きさに形成されている。また、鉛直部２５ｂは、装置本体２の外側において、その側方側側壁９の側面９ａに対向するように支柱２３から装置本体２の外方側に延在する大きさに形成されている。蓋体３の側壁１８は、装置本体２の側方側側壁９よりも外方側に位置するので、鉛直部２４ｂは、鉛直部２５ｂよりも支柱２３から大きく延在している。
【００２５】
接続体２６，２６は、市販のケーブルクランプ（例えばオーム電機株式会社、型式ＯＡ−Ｗ１６０８）からなっている。図４に示すように、接続体２６は、ナイロン６６からなるニップル２７の両側にねじ部２８，２９が形成されている。このねじ部２８，２９にそれぞれナイロン６６からなる締付キャップ３０およびロックナット３１が螺合される。そして、中心軸方向の図示しない貫通孔に上端２３ａ側から支柱２３を挿通させて、締付キャップ３０をねじ部２８に締め付けることにより、接続体２６は、支柱２３に固定される。
【００２６】
規制部材２４は、前もって水平部２４ａにねじ部２９が挿通可能な図示しない孔が形成されている。この孔にねじ部２９を挿通させて、ねじ部２９にロックナット３１を締め付けることにより、規制部材２４は、接続体２６に固定される。規制部材２４は、接続体２６が支柱２３に取り付けられる前に、接続体２６に取り付けられる。そして、規制部材２４は、接続体２６の周方向の任意の箇所に固定可能である。接続体２６が支柱２３に取り付けられた後に、支柱２３の上端２３ａにゴムキャップ２７が取り付けられる。そして、規制部材２５も、規制部材２４と同様にして、支柱２３に取り付けられる。
【００２７】
接続体２６，２６は、その締付キャップ３０を緩めることにより、支柱２３の長手方向に沿って移動可能となる。したがって、支持体４の規制部材２４，２５は、支柱２３に装着された状態で支柱２３の長手方向に沿って移動可能となっている。
【００２８】
図５において、支持体４は、その支柱２３の上端２３ａ側および下端２３ｂ側が装置本体２の底面６側に設けられた一対の固定部材１２，１２に取り付けられる。固定部材１２，１２は、支柱２３を挟み込んで固定する既存の構成により形成されている。支持体４は、蓋体３が装置本体２に閉じられたときに、装置本体２内に収納される。
【００２９】
次に、本発明の実施形態の作用について述べる。
【００３０】
収納装置１内のメンテナンスを行うとき、蓋体３を上方に開放し、その開放状態を維持する必要がある。このため、支持体４を装置本体２および蓋体３の間に取り付けて、蓋体３を支えるようにする。
【００３１】
まず、蓋体３を上方に持ち上げて、装置本体２内に収納されている２個の支持体４を固定部材１２，１２から取り外す。ここで、規制部材２４，２５の位置調整を要するときには、接続体２６の締付キャップ３０を緩めて、規制部材２４，２５をそれぞれ支柱２３の長手方向に沿って移動可能にする。この後、規制部材２４の鉛直部２４ｂを蓋体３の側方側の側壁１８に対向できるように、規制部材２４を支柱２３の上端２３ａ側に移動させ、接続体２６の締付キャップ３０を締め付けて支柱２３に固定する。また、規制部材２５の鉛直部２５ｂを装置本体２の側面側側壁９の側面９ａに対向できるように、規制部材２５を支柱２３の下端２３ｂ側に移動させ、接続体２６の締付キャップ３０を締め付けて支柱２３に固定する。これを２個の支持体４に対して行う。
【００３２】
そして、蓋体３を上方に大きく持ち上げた状態で、一方の支持体４を装置本体２および蓋体３の間に入れて、支柱２３の下端２３ｂ側を装置本体２の開口５から正面側側壁７および左側面側側壁９の内側に挿入する。そして、規制部材２５の鉛直部２５ｂが左側面側側壁９の側面９ａに近接または接触し、支柱２３の下端２３ｂ側が正面側側壁７に近接または接触するようにして、支柱２３の下端２３ｂを装置本体２の底面６に当接させる。
【００３３】
そして、他方も同様に行う。すなわち、他方の支持体４に対して、その規制部材２５の鉛直部２５ｂが装置本体２の右側面側側壁９の側面９ａに近接または接触し、支柱２３の下端２３ｂ側が装置本体２の正面側側壁７に近接または接触するようにして、支柱２３の下端２３ｂを装置本体２の底面６に当接させる。
【００３４】
そして、蓋体３を下方に下ろし、各支持体４の支柱２３の上端２３ａを蓋体３の平板部１５の下面１５ｂに当接させる。このとき、規制部材２４の垂直部２４ｂが蓋体３の側方側の側壁１８に近接または接触するようにし、支柱２３の上端２３ａ側が蓋体３の前方側の側壁１６に近接または接触するようにする。これにより、支持体４の支柱２３は、その上端２３ａが蓋体３の内面１５ｂ側に、その下端２３ｂが装置本体２の底面６側にそれぞれ当接して、蓋体３の開放状態を保持（維持）するようになる。
【００３５】
そして、メンテナンス作業時において、支持体４の支柱２３に人や物が不用意にぶつかった場合でも、規制部材２４の鉛直部２４ｂが蓋体３の側方側の側壁１８に当接して移動しなく、規制部材２５の鉛直部２５ｂが装置本体２の側面側側壁９の側面９ａに当接して移動しないので、規制部材２４，２５が固定されている支柱２３も移動しなくなる。また、装置本体２の内側から側方側の外側の方向に力が作用するように、人等が支柱２３にぶつかると、支柱２３の上端２３ａ側が蓋体３の側方側の側壁１８に当接し、下端２３ｂ側が装置本体２の側面側側壁９に当接するので、支柱２３は移動しない。
【００３６】
このように、本実施形態の収納装置１は、支持体４の支柱２３に人や物がぶつかっても、支柱２３の移動が規制されるので、支柱２３が蓋体３の内面１５ｂ側および装置本体２の底面６側から外れなくなる。これにより、蓋体３が不所望に閉じることを防止できる。
【００３７】
そして、支持体４は、支柱２３、一対の規制部材２４，２５および接続体２６，２６を有する簡易な構成であるので、安価にする形成することができ、これにより、収納装置１を安価にできるという効果を有する。
【００３８】
また、支持体４は、その規制部材２４，２５が支柱２３に装着された状態で接続体２６，２６により支柱２３の長手方向に移動可能に設けられているので、寸法の異なる収納装置１や別の収納装置において、蓋体３の側方側の側壁１８，１８の起立長および装置本体２の側面側側壁９の起立長などに応じて、支柱２３における固定位置を自由に調整できるという効果を有する。また、規制部材２４，２５は、接続体２６，２６により支柱２３に着脱されるので、全長の異なる複数の支柱２３に対しても取り付けることができ、汎用性が向上するという効果を有する。
【００３９】
また、支持体４は、装置本体２の固定部材１２，１２に取り付けられて装置本体２内に収納されるので、保管場所が確保されて、メンテナンス時に直ぐに取り出すことができるとともに、紛失などを防止することができるという効果を有する。
【００４０】
そして、蓋体３の上面１５ａ側に負荷を制御するための手動操作部２２が配設され、装置本体２内に負荷制御用の電気装置としての電源装置１０や制御装置１１等が配設される調光操作卓などの収納装置１は、蓋体開閉用のステーを用いないので、ステー分の寸法を小さくすることができて、その分の小型化を図ることができるという効果を有する。
【符号の説明】
【００４１】
１…収納装置、  ２…装置本体、  ３…蓋体、  ４…支持体、  ９ａ…側面、  １０…電気装置としての電源装置、  １１…電気装置としての制御装置、  １２，１２…固定部材、  １６，１８…側壁、  ２２…操作部、  ２３…支柱、  ２４，２５…規制部材
【図１】
2012171678.tif 000003
【図２】
2012171678.tif 000004
【図３】
2012171678.tif 000005
【図４】
2012171678.tif 000006
【図５】
2012171678.tif 000007
【図６】
2012171678.tif 000008